(57)【要約】【課題】細長い帯状形状を有しながら表面に情報を印字する場合にその製造効率を向上させる。【解決手段】帯状形状を具備するバンド部１１と、帯状形状を具備し、バンド部１１と並行して配置されたバンド部１２と、帯状形状を具備し、バンド部１２のバンド部１１とは反対側に並行して配置されたバンド部１３とを有し、バンド部１２は、バンド部１１が並行する側の側部のうち、バンド部１２の長手方向の一方の端部側の領域にてバンド部１１と谷折り可能に連接するとともに、バンド部１３が並行する側の側部のうち、バンド部１２の長手方向の他方の端部側の領域にてバンド部１３と谷折り可能に連接し、バンド部１１またはバンド部１３がそれぞれ連接する連接辺の端部のうちバンド部１２の長手方向中央側の端部から反対側の側部まで延びた山折り予定線１７ａ，１７ｂを有する。【選択図】図１
2010196209.tif 000002
【特許請求の範囲】
【請求項１】
帯状形状を具備する第１のバンド部と、
帯状形状を具備し、前記第１のバンド部と並行して配置された第２のバンド部と、
帯状形状を具備し、前記第２のバンド部の前記第１のバンド部とは反対側に並行して配置された第３のバンド部とを有し、
前記第２のバンド部は、前記第１のバンド部が並行する側の側部のうち、当該第２のバンド部の長手方向の一方の端部側の領域にて前記第１のバンド部と谷折り可能に連接するとともに、前記第３のバンド部が並行する側の側部のうち、前記長手方向の他方の端部側の領域にて前記第３のバンド部と谷折り可能に連接し、さらに、前記第１のバンド部または前記第３のバンド部がそれぞれ谷折り可能に連接する連接辺の端部のうち前記長手方向中央側の端部から当該第２のバンド部の反対側の側部まで延びた山折り予定線を有するリストバンド。
【請求項２】
請求項１に記載のリストバンドにおいて、
前記第２のバンド部は、前記長手方向に延びた帯状のアンテナを具備する非接触情報記録手段が内蔵されているリストバンド。
【発明の詳細な説明】
【技術分野】
【０００１】
本発明は、手首や足首等に装着して使用されるリストバンドに関し、特に、製造効率の向上技術に関する。
【背景技術】
【０００２】
従来より、病院等において、検査や治療のために入院する患者の手首や足首にリストバンドを装着させ、このリストバンドを用いて患者を識別、管理することが行われている。この場合、リストバンドの表面に、患者の氏名や血液型、受診科目、病棟名、あるいは患者を識別するためのバーコード情報を印字しておき、この情報を肉眼あるいはバーコードリーダで読み取ることによって、患者を識別、管理している（例えば、特許文献１参照。）。また、近年では、上述したように患者を識別可能な情報が印字されたリストバンドに、非接触状態にて情報の書き込み及び読み出しが可能なＩＣシートを取り付け可能に構成されたものも考えられている（例えば、特許文献２参照。）。
【先行技術文献】
【特許文献】
【０００３】
【特許文献１】特開２００２−３６３８０８号公報
【特許文献２】特開２００５−２８７６６３号公報
【発明の概要】
【発明が解決しようとする課題】
【０００４】
上述したリストバンドは、手首や足首に巻き付けて装着するものであるため、細長い帯状形状となっている。そのため、表面に情報を印字するプリンタにおいては、情報を印字する記録媒体の搬送幅の制限等から、帯状形状の長手方向を搬送方向としてリストバンドを搬送しながら情報を印字していくこととなる。
【０００５】
このように、帯状形状の長手方向を搬送方向としてリストバンドを搬送しながら情報を印字する場合、プリンタにおける印字幅が非常に狭いものとなり、製造効率が著しく悪い。そこで、帯状のリストバンドを複数本並べて配置して搬送しながら情報を印字していくことが考えられるが、その場合、並べられた複数本のリストバンドが同時に搬送されることになるため、リストバンドを、１本等、並べられた本数未満だけ必要とする場合に無駄なリストバンドが生じてしまうという問題点がある。
【０００６】
本発明は、上述したような従来の技術が有する問題点に鑑みてなされたものであって、細長い帯状形状を有しながらもその表面に情報を印字する場合にその製造効率を向上させることができるリストバンドを提供することを目的とする。
【課題を解決するための手段】
【０００７】
上記目的を達成するために本発明は、
帯状形状を具備する第１のバンド部と、
帯状形状を具備し、前記第１のバンド部と並行して配置された第２のバンド部と、
帯状形状を具備し、前記第２のバンド部の前記第１のバンド部とは反対側に並行して配置された第３のバンド部とを有し、
前記第２のバンド部は、前記第１のバンド部が並行する側の側部のうち、当該第２のバンド部の長手方向の一方の端部側の領域にて前記第１のバンド部と谷折り可能に連接するとともに、前記第３のバンド部が並行する側の側部のうち、前記長手方向の他方の端部側の領域にて前記第３のバンド部と谷折り可能に連接し、さらに、前記第１のバンド部または前記第３のバンド部がそれぞれ谷折り可能に連接する連接辺の端部のうち前記長手方向中央側の端部から当該第２のバンド部の反対側の側部まで延びた山折り予定線を有する。
【０００８】
上記のように構成された本発明においては、帯状形状を具備する第１、第２及び第３のバンド部が、第１のバンド部と第３のバンド部とによって第２のバンド部を挟んだ状態で並行して配置されている。そして、第２のバンド部は、第１のバンド部が並行する側の側部のうち、第２のバンド部の長手方向の一方の端部側の領域にて第１のバンド部と谷折り可能に連接するとともに、第３のバンド部が並行する側の側部のうち、第２のバンド部の長手方向の他方の端部側の領域にて第３のバンド部と谷折り可能に連接し、さらに、第１のバンド部または第３のバンド部がそれぞれ谷折り可能に連接する連接辺の端部のうち、第２のバンド部の長手方向中央側の端部から第２のバンド部の反対側の側部まで延びた山折り予定線が設けられている。そのため、第２のバンド部と第１及び第３のバンド部とをそれぞれ谷折りするとともに、第２のバンド部を山折り予定線にて山折りすると、第１、第２及び第３のバンド部がその長手方向に連なったものとなり、第１、第２及び第３のバンド部がその長手方向に連なった細長い帯状形状のリストバンドが構成されることになる。
【０００９】
このように、リストバンドを構成する第１、第２及び第３のバンド部が、互いに並行して配置されており、これらを折り畳むことによって細長い帯状形状のリストバンドが構成されるので、細長い帯状形状のリストバンドに情報を印字する場合に、リストバンドの長手方向の長さ分リストバンドを搬送する必要がなくなり、製造効率が向上することになる。
【００１０】
また、第２のバンド部に、第２のバンド部の長手方向に延びた帯状のアンテナを具備する非接触情報記録手段が内蔵されている場合は、表面に印字された情報のみならず、非接触情報記録手段に記録された情報を用いて、このリストバンドを装着した患者等を識別、管理することができる。この場合、第２のバンド部は帯状形状を有するものであるため、帯状のアンテナを具備する非接触情報記録手段を内蔵することができ、また、上記のように折り畳まれた場合、第２のバンド部が、第１及び第２のバンド部に対して若干浮き上がった状態となるので、このリストバンドを装着した患者等の手首や足首が濡れている等、非接触状態における情報の書き込みや読み出しに障害が生じる状態であっても、その影響が軽減される。
【発明の効果】
【００１１】
以上説明したように本発明においては、帯状形状を具備する第１のバンド部と、帯状形状を具備し、第１のバンド部と並行して配置された第２のバンド部と、帯状形状を具備し、第２のバンド部の第１のバンド部とは反対側に並行して配置された第３のバンド部とを有し、第２のバンド部が、第１のバンド部が並行する側の側部のうち、第２のバンド部の長手方向の一方の端部側の領域にて第１のバンド部と谷折り可能に連接するとともに、第３のバンド部が並行する側の側部のうち、第２のバンド部の長手方向の他方の端部側の領域にて第３のバンド部と谷折り可能に連接し、さらに、第１のバンド部または第３のバンド部がそれぞれ谷折り可能に連接する連接辺の端部のうち第２のバンド部の長手方向中央側の端部から第２のバンド部の反対側の側部まで延びた山折り予定線を有する構成としたため、リストバンドを構成する第１、第２及び第３のバンド部を折り畳むことによって細長い帯状形状のリストバンドが構成されることとなり、それにより、細長い帯状形状のリストバンドに情報を印字する場合に、リストバンドの長手方向の長さ分リストバンドを搬送する必要がなくなり、製造効率を向上させることができる。
【００１２】
また、第２のバンド部に、第２のバンド部の長手方向に延びた帯状のアンテナを具備する非接触情報記録手段が内蔵されているものにおいては、表面に印字された情報のみならず、非接触情報記録手段に記録された情報を用いて、このリストバンドを装着した患者等を識別、管理することができる。この際、第１、第２及び第３のバンド部が上記のように折り畳まれた場合、第２のバンド部が、第１及び第２のバンド部に対して若干浮き上がった状態となるので、このリストバンドを装着した患者等の手首や足首が濡れている等、非接触状態における情報の書き込みや読み出しに障害が生じる状態であっても、その影響が軽減される。
【図面の簡単な説明】
【００１３】
【図１】本発明のリストバンドの第１の実施の形態を示す図であり、（ａ）は全体の構成を示す図、（ｂ）は（ａ）に示したＡ−Ａ’断面図、（ｃ）はＢ−Ｂ’断面図である。
【図２】図１に示したリストバンドの使用方法を説明するための図である。
【図３】本発明のリストバンドの第２の実施の形態を示す図であり、（ａ）は全体の構成を示す図、（ｂ）は（ａ）に示したＡ−Ａ’断面図、（ｃ）はＢ−Ｂ’断面図である。
【図４】図３に示したリストバンドの使用方法を説明するための図である。
【図５】本発明のリストバンドの第３の実施の形態を示す図であり、（ａ）は全体の構成を示す図、（ｂ）は（ａ）に示したＡ−Ａ’断面図、（ｃ）はＢ−Ｂ’断面図である。
【図６】図５に示したリストバンドの使用方法を説明するための図である。
【発明を実施するための形態】
【００１４】
以下に、本発明の実施の形態について図面を参照して説明する。
【００１５】
（第１の実施の形態）
図１は、本発明のリストバンドの第１の実施の形態を示す図であり、（ａ）は全体の構成を示す図、（ｂ）は（ａ）に示したＡ−Ａ’断面図、（ｃ）はＢ−Ｂ’断面図である。
【００１６】
本形態は図１に示すように、表面シート３と支持シート４とが非接触情報記録手段であるインレット５を挟んで粘着剤６によって貼着されて構成され、支持シート４が擬似貼着層７を介して台紙２に剥離可能に貼着されている。この擬似貼着層７は、２層構造のフィルムを用いて剥離可能とするものや、自己のみが貼着可能な材料によって構成されている。
【００１７】
このように台紙２に剥離可能に貼着されたリストバンド１は、帯状形状を具備する第１のバンド部１１、第２のバンド部１２及び第３のバンド部が互いに並行して配置されている。
【００１８】
バンド部１１は、複数の孔部１９ａがその長手方向に並んで形成されている。この孔部１９ａは、表面シート３、支持シート４及び台紙２に貫通している。
【００１９】
バンド部１２は、バンド部１１の一方の側にて並行し、バンド部１１が並行する側の側部のうち、バンド部１２の長手方向の一方の端部側の領域にて連接しており、この連接辺が谷折り予定線１８ａとなっている。また、バンド部１２のバンド部１１とは反対側にはバンド部１３が並行しており、バンド部１３が並行する側の側部において、バンド部１２の長手方向の端部のうち谷折り予定線１８ａとは反対の端部側の領域にて連接しており、この連接辺が谷折り予定線１８ｂとなっている。また、谷折り予定線１８ａの端部のうちバンド部１２の長手方向中央側の端部からバンド部１２の反対側の側部、すなわち、バンド部１３側の側部まで延びた山折り予定線１７ａが設けられている。また、谷折り予定線１８ｂの端部のうちバンド部１２の長手方向中央側の端部からバンド部１２の反対側の側部、すなわち、バンド部１１側の側部まで延びた山折り予定線１７ｂが設けられている。バンド部１１とバンド部１２とは、谷折り予定線１８ａ以外の領域では、その側部どうしがスリット１６ａによって分離されている。このスリット１６ａは、表面シート３、支持シート４及び台紙２のうち、表面シート３及び支持シート４に形成されており、台紙２には形成されていない。また、バンド部１２の両端部は、山折り予定線１７ａ，１７ｂの端部と谷折り予定線１８ａ，１８ｂの端部とを結んでそれぞれ斜めになっている。
【００２０】
バンド部１３は、谷折り予定線１８ｂを介してバンド部１２に連接した端部側とは反対側が突出した形状となっており、その突出した領域に孔部１９ｂが形成されている。この孔部１９ｂは、表面シート３、支持シート４及び台紙２に貫通している。バンド部１２とバンド部１３とは、谷折り予定線１８ｂ以外の領域では、その側部どうしがスリット１６ｂによって分離されている。このスリット１６ｂは、表面シート３、支持シート４及び台紙２のうち、表面シート３及び支持シート４に形成されており、台紙２には形成されていない。
【００２１】
インレット５は、帯状形状を具備するアンテナ１５と、このアンテナ１５に接続されたＩＣチップ１４とを有し、バンド部１２の山折り予定線１７ａ，１７ｂによって挟まれる領域に内蔵されている。アンテナ１５は、バンド部１２の長手方向に延びるように配置されており、外部から照射される電波に共振して電流が流れ、この電流がＩＣチップ１４に供給されることにより、ＩＣチップ１４に対する情報の書き込みや読み出しが非接触状態にて行われる。
【００２２】
以下に、上記のように構成されたリストバンド１の使用方法について説明する。
【００２３】
まず、情報を印字可能であるとともにＩＣチップ１４に対して情報の書き込みが可能なプリンタを用いて、リストバンド１が台紙２に貼着された状態において、表面シート３のバンド部１２となる領域に情報を印字するとともに、インレット５のＩＣチップ１４に情報を書き込む。例えば、病院等において、検査や治療のために入院する患者の手首や足首にこのリストバンド１を装着させて使用する場合、表面シート３のバンド部１２の部分に、患者の氏名や血液型等を印字するとともに、この患者の氏名や血液型、受診科目、病棟名等の患者に関する情報をＩＣチップ１４に書き込む。この際、台紙２にリストバンド１が装着された状態においては、リストバンド１を構成する帯状の３つのバンド部１１〜１３が並行して配置されているため、リストバンド１全体で細長い帯状形状となっておらず、それにより、細長いリストバンド１をその長手方向に搬送しながら情報を印字する必要がなくなり、製造効率が向上する。また、このように表面シート３に対する情報の印字とＩＣチップ１４に対する情報の書き込みとを１つの装置にて行うことにより、表面シート３に印字された情報と、ＩＣチップ１４に書き込まれた情報とのマッチングミスを防止することができる。
【００２４】
このようにして表面シート３に情報が印字されるとともにＩＣチップ１４に情報が書き込まれたリストバンド１は、台紙２から剥離され、上述したように、例えば、病院等において患者の手首や足首に装着されて使用されることになる。なお、台紙２に貼着されたリストバンド１は、上述したように、支持シート４が擬似貼着層７によって台紙２の貼着されているため、台紙２から剥離することができる。
【００２５】
図２は、図１に示したリストバンド１の使用方法を説明するための図である。
【００２６】
台紙２から剥離されたリストバンド１は、図２（ａ）に示すように３つのバンド部１１〜１３が並行して配置された状態となっている。
【００２７】
このリストバンド１を装着可能な状態とするためには、まず、バンド部１２を山折り予定線１７ａにて山折りにする。すると、図２（ｂ）に示すように、バンド部１１の表裏が反転するとともに長手方向の向きが逆になる。
【００２８】
次に、バンド部１１とバンド部１２との連接辺となる谷折り予定線１８ａにてバンド部１１とバンド部１２とを谷折りにする。すると、図２（ｃ）に示すように、バンド部１１の表裏が元の状態に戻るとともに、バンド部１１とバンド部１２とがその一部が重なって一直線上に並んだ状態となる。
【００２９】
また、バンド部１２を山折り予定線１７ｂにて山折りにする。すると、図２（ｄ）に示すように、バンド部１３の表裏が反転するとともに長手方向の向きが逆になる。
【００３０】
次に、バンド部１２とバンド部１３との連接辺となる谷折り予定線１８ｂにてバンド部１２とバンド部１３とを谷折りにする。すると、図２（ｅ）に示すように、バンド部１３の表裏が元の状態に戻るとともに、バンド部１２とバンド部１３とがその一部が重なって一直線上に並んだ状態となる。
【００３１】
これにより、３つのバンド部１１〜１３からなるリストバンド１が、それら３つのバンド部１１〜１３がその一部が重なって一直線上に並んだ細長い帯状形状となり、このリストバンド１を手首や足首に装着し、バンド部１１に設けられた孔部１９ａとバンド部１３に設けられた孔部１９ｂとにクリップ等を挿入することによって固定して使用することになる。
【００３２】
ここで、バンド部１２には、ＩＣチップ１４及びアンテナ１５を有するインレット５が内蔵されているが、このリストバンド１を装着した手首や足首が濡れている場合、その水分によって、アンテナ１５の共振に悪影響が及ぼされてしまう。ところが、本形態においては、上述したようにバンド部１１〜１３が、山折り予定線１７ａ，１７ｂ及び谷折り予定線１８ａ，１８ｂにて折り畳まれた場合、図２（ｆ）に示すように、バンド部１１，１３に対してバンド部１２が若干浮き上がった状態となるため、このリストバンド１を装着する手首や足首が濡れている場合であっても、アンテナ１５の共振への影響が軽減されることになる。
【００３３】
（第２の実施の形態）
図３は、本発明のリストバンドの第２の実施の形態を示す図であり、（ａ）は全体の構成を示す図、（ｂ）は（ａ）に示したＡ−Ａ’断面図、（ｃ）はＢ−Ｂ’断面図である。
【００３４】
本形態は図３に示すように、図１に示したものに対して、全体として両端部がそれぞれ窄まったリーフ形状を有し、第１のバンド部１１１及び第３のバンド部１１３が、長手方向端部のうち一方の端部にて谷折り予定線１１８ａ，１１８ｂを介して第２のバンド部１１２にそれぞれ連接しているとともに、長手方向端部のうち他方の端部が尖った角形状となっている点が異なるものである。これにより、３つのバンド部１１１〜１１３は、その側部がそれぞれ曲線を描くような形状となっている。なお、このように側部が曲線を描くような形状となっているものについても、本願では、「帯状形状」と称する。
【００３５】
以下に、上記のように構成されたリストバンド１０１の使用方法について説明する。
【００３６】
まず、第１の実施の形態に示したものと同様に、リストバンド１０１が台紙１０２に貼着された状態において、表面シート１０３のバンド部１１２となる領域に情報を印字するとともに、インレット１０５のＩＣチップ１１４に情報を書き込む。
【００３７】
このようにして表面シート１０３に情報が印字されるとともにＩＣチップ１１４に情報が書き込まれたリストバンド１０１は、台紙１０２から剥離され、例えば、病院等において患者の手首や足首に装着されて使用されることになる。
【００３８】
図４は、図３に示したリストバンド１０１の使用方法を説明するための図である。
【００３９】
本形態のリストバンド１０１においては、上述したように、全体として両端部がそれぞれ窄まったリーフ形状を有し、バンド部１１１，１１３の一方の端部が尖った形状となっているため、図４（ａ）に示すように、台紙１０２から剥離する際、その端部にてスリット１１６ａ，１１６ｂを介して隣接するバンド部１１１，１１３の両方を摘み上げることにより、バンド部１１１，１１３の一方のみが台紙１０２から剥離していき、バンド部１１１，１１３がスリット１１６ａ，１１６ｂの延長線上に破断していくことが回避される。
【００４０】
台紙１０２から剥離されたリストバンド１０１は、図４（ｂ）に示すように３つのバンド部１１１〜１１３が並行して配置された状態となっている。なお、本形態のリストバンド１０１は、全体としてリーフ形状を有し、バンド部１１１〜１１３のそれぞれの側部がそれぞれ曲線を描くような形状となっているが、このようなものについても、３つのバンド部１１１〜１１３が並行して配置された状態と定義する。
【００４１】
このリストバンド１０１を装着可能な状態とするためには、まず、バンド部１１２を山折り予定線１１７ａにて山折りにする。すると、図４（ｃ）に示すように、バンド部１１１の表裏が反転するとともに、バンド部１１１の尖った端部が向かう方向が変わる。
【００４２】
次に、バンド部１１１とバンド部１１２との連接辺となる谷折り予定線１１８ａにてバンド部１１１とバンド部１１２とを谷折りにする。すると、図４（ｄ）に示すように、バンド部１１１の表裏が元の状態に戻るとともに、バンド部１１１の尖った端部が向かう方向がさらに変わり、バンド部１１１とバンド部１１２とがその一部が重なって一直線上に並んだような状態となる。
【００４３】
また、バンド部１１２を山折り予定線１１７ｂにて山折りにする。すると、図４（ｅ）に示すように、バンド部１１３の表裏が反転するとともに、バンド部１１３の尖った端部が向かう方向が変わる。
【００４４】
次に、バンド部１１２とバンド部１１３との連接辺となる谷折り予定線１１８ｂにてバンド部１１２とバンド部１１３とを谷折りにする。すると、図４（ｆ）に示すように、バンド部１１３の表裏が元の状態に戻るとともに、バンド部１１１の尖った端部が向かう方向がさらに変わり、バンド部１１２とバンド部１１３とがその一部が重なって一直線上に並んだような状態となる。
【００４５】
これにより、３つのバンド部１１１〜１１３からなるリストバンド１０１が、それら３つのバンド部１１１〜１１３がその一部が重なって一直線上に並んだような細長い帯状形状となり、このリストバンド１０１を手首や足首に装着し、バンド部１１１に設けられた孔部１１９ａとバンド部１１３に設けられた孔部１１９ｂとにクリップ等を挿入することによって固定して使用することになる。
【００４６】
（第３の実施の形態）
図５は、本発明のリストバンドの第３の実施の形態を示す図であり、（ａ）は全体の構成を示す図、（ｂ）は（ａ）に示したＡ−Ａ’断面図、（ｃ）はＢ−Ｂ’断面図である。
【００４７】
本形態は図５に示すように、図１に示したものに対して、バンド部２１２の山折り予定線２１７ａ，２１７ｂよりも外側の領域において、バンド部２１２の幅方向における中央部にアンカー穴２２２ａ，２２２ｂがそれぞれ形成されているとともに、アンカー穴２２２ａが形成された領域については、このアンカー穴２２２ａからバンド部２１３側の側部に向かってスリット２２１ａが形成されており、また、アンカー穴２２２ｂが形成された領域については、このアンカー穴２２２ｂからバンド部２１１側の側部に向かってスリット２２１ｂが形成されており、さらに、バンド部２１１，２１３の谷折り予定線２１８ａ，２１８ｂを介してバンド部２１１，２１３とバンド部２１２とを谷折りした場合にアンカー穴２２２ａ，２２２ｂ及びスリット２２１ａ，２２１ｂに対向する領域に、アンカー穴２２２ｃ，２２２ｄ及びスリット２２１ｃ，２２１ｄがそれぞれ形成されている点が異なるものである。また、スリット２１６ａ，２１６ｂの端部にもアンカー穴２２２ｅ，２２２ｆがそれぞれ形成されている。
【００４８】
以下に、上記のように構成されたリストバンド１０１の使用方法について説明する。
【００４９】
まず、第１の実施の形態に示したものと同様に、リストバンド２０１が台紙２０２に貼着された状態において、表面シート２０３のバンド部２１２となる領域に情報を印字するとともに、インレット２０５のＩＣチップ２１４に情報を書き込む。
【００５０】
このようにして表面シート２０３に情報が印字されるとともにＩＣチップ２１４に情報が書き込まれたリストバンド２０１は、台紙２０２から剥離され、例えば、病院等において患者の手首や足首に装着されて使用されることになる。
【００５１】
図６は、図５に示したリストバンド２０１の使用方法を説明するための図である。
【００５２】
台紙２０２から剥離されたリストバンド２０１は、図６（ａ）に示すように３つのバンド部２１１〜２１３が並行して配置された状態となっている。
【００５３】
このリストバンド２０１を装着可能な状態とするためには、まず、バンド部２１２を山折り予定線２１７ａにて山折りにする。すると、図６（ｂ）に示すように、バンド部２１１の表裏が反転するとともに長手方向の向きが逆になる。
【００５４】
次に、バンド部２１１とバンド部２１２との連接辺となる谷折り予定線２１８ａにてバンド部２１１とバンド部２１２とを谷折りにする。すると、図６（ｃ）に示すように、バンド部２１１の表裏が元の状態に戻るとともに、バンド部２１１とバンド部２１２とがその一部が重なって一直線上に並んだ状態となる。この際、バンド部２１１に形成されたアンカー穴２２２ｃ及びスリット２２１ｃが、バンド部２１２に形成されたアンカー穴２２２ａ及びスリット２２１ａと重なり合うようになる。
【００５５】
また、バンド部２１２を山折り予定線２１７ｂにて山折りにする。すると、図６（ｄ）に示すように、バンド部２１３の表裏が反転するとともに長手方向の向きが逆になる。
【００５６】
次に、バンド部２１２とバンド部２１３との連接辺となる谷折り予定線２１８ｂにてバンド部２１２とバンド部２１３とを谷折りにする。すると、図６（ｅ）に示すように、バンド部２１３の表裏が元の状態に戻るとともに、バンド部２１２とバンド部２１３とがその一部が重なって一直線上に並んだ状態となる。この際、バンド部２１３に形成されたアンカー穴２２２ｄ及びスリット２２１ｄが、バンド部２１２に形成されたアンカー穴２２２ｂ及びスリット２２１ｂと重なり合うようになる。
【００５７】
そして、図６（ｆ）に示すように、バンド部２１２の裏面側において、互いに重なり合ったスリット２２１ａ，２１１ｃと、スリット２２１ｂ，２２１ｄとを係合させ、図６（ｅ）に示した状態を保持することになる。
【００５８】
これにより、３つのバンド部２１１〜２１３からなるリストバンド２０１が、それら３つのバンド部２１１〜２１３がその一部が重なって一直線上に並んだ細長い帯状形状となり、このリストバンド２０１を手首や足首に装着し、バンド部２１１に設けられた孔部２１９ａとバンド部２１３に設けられた孔部２１９ｂとにクリップ等を挿入することによって固定して使用することになる。
【００５９】
なお、上述した３つの実施の形態においては、表面シート３，１０３，２０３のうち、バンド部１２，１１２，２１２となる部分に情報を印字しているが、表面シート３，１０３，２０３のうち、他のバンド部１１，１３，１１１，１１３，２１１，２１３となる部分に情報を印字してもよい。
【符号の説明】
【００６０】
１，１０１，２０１    リストバンド
２，１０２，２０２    台紙
３，１０３，２０３    表面シート
４，１０４，２０４    支持シート
５，１０５，２０５    インレット
６，１０６，２０６    粘着剤
７，１０７，２０７    擬似貼着層
１１〜１３，１１１〜１１３，２１１〜２１３    バンド部
１４，１１４，２１４    ＩＣチップ
１５，１１５，２１５    アンテナ
１６ａ，１６ｂ，１１６ａ，１１６ｂ，２１６ａ，２１６ｂ，２２１ａ〜２２１ｄ    スリット
１７ａ，１７ｂ，１１７ａ，１１７ｂ，２１７ａ，２１７ｂ    山折り予定線
１８ａ，１８ｂ，１１８ａ，１１８ｂ，２１８ａ，２１８ｂ    谷折り予定線
１９ａ，１９ｂ，１１９ａ，１１９ｂ，２１９ａ，２１９ｂ    孔部
２２２ａ〜２２２ｆ    アンカー穴
【図１】
2010196209.tif 000003
【図２】
2010196209.tif 000004
【図３】
2010196209.tif 000005
【図４】
2010196209.tif 000006
【図５】
2010196209.tif 000007
【図６】
2010196209.tif 000008